(57)【要約】【課題】景品売渡人が不利益を被ることを防止すること。【解決手段】景品買取システム１において、景品買取機１０は、景品払出機３０で払出景品として払い出された特殊景品の景品ＩＤを記憶する払出景品ＤＢ１８と、払出景品ＤＢ１８によって記憶された払出景品の景品ＩＤと、景品買取り処理部１９ａによって買取り取引が行われた特殊景品の景品ＩＤとに基づいて、買取り取引を打切りとすべき「取引打切り時機」を判別する取引打切り時機判別部１９ｂと、取引打切り時機判別部１９ｂによって「取引打切り時機」が判別された場合に、所望の閉店処理を実行する閉店処理部１９ｃとを備える。【選択図】        図３
2007209620.tif 000002
【特許請求の範囲】
【請求項１】
買取り依頼を受け付けた特殊景品と引き換えに、該特殊景品に相当する価値分の貨幣を払出す特殊景品の買取り取引を行う景品買取システムであって、
払出景品として払い出された特殊景品の景品識別情報を記憶する払出景品情報記憶手段と、
前記払出景品情報記憶手段によって記憶された払出景品の景品識別情報と、前記買取り取引が行われた特殊景品の景品識別情報とに基づいて、前記買取り取引を打切りとすべき取引打切り時機を判別する取引打切り時機判別手段と、
前記取引打切り時機判別手段によって前記取引打切り時機が判別された場合に、所望の閉店処理の実行を許可する閉店処理実行許可手段と
を備えたことを特徴とする景品買取システム。
【請求項２】
前記取引打切り時機判別手段は、最後の払出景品が払い出された後に、前記払出景品情報記憶手段によって記憶された全ての払出景品の景品識別情報について前記買取り取引が行われた時点を前記取引打切り時機と判別することを特徴とする請求項１に記載の景品買取システム。
【請求項３】
前記取引打切り時機判別手段は、最後の払出景品が払い出されてから所定時間経過した時点を前記取引打切り時機と判別することを特徴とする請求項１に記載の景品買取システム。
【請求項４】
前記取引打切り時機判別手段は、最後の払出景品が払い出された後に受け付けた買取り取引から所定時間経過した時点を前記取引打切り時機と判別することを特徴とする請求項１に記載の景品買取システム。
【請求項５】
前記取引打切り時機判別手段によって前記取引打切り時機が判別された場合に、前記払出景品情報記憶手段によって記憶された払出景品の中に前記買取り依頼を受け付けていない未回収の払出景品が存在するならば、該未回収の払出景品の景品識別情報を記憶する未回収景品情報記憶手段をさらに備えたことを特徴とする請求項３または４に記載の景品買取システム。
【請求項６】
買取り依頼を受け付けた特殊景品と引き換えに、該特殊景品に相当する価値分の貨幣を払出す特殊景品の買取り取引を行う景品買取システムに用いられる景品買取方法であって、
払出景品として払い出された特殊景品の景品識別情報を払出景品情報記憶手段に登録する払出景品情報登録工程と、
前記払出景品情報記憶手段によって記憶された払出景品の景品識別情報と、前記買取り取引が行われた特殊景品の景品識別情報とに基づいて、前記買取り取引を打切りとすべき取引打切り時機を判別する取引打切り時機判別工程と、
前記取引打切り時機判別工程によって前記取引打切り時機が判別された場合に、所望の閉店処理の実行を許可する閉店処理実行許可工程と
を含んだことを特徴とする景品買取方法。
【発明の詳細な説明】
【技術分野】
【０００１】
本発明は、払出景品として払い出された特殊景品の景品識別情報をもとに、受付景品として買取り依頼を受け付けた特殊景品の買取りを行う景品買取システムに関する。
【背景技術】
【０００２】
従来より、パチンコ遊技やパチスロ遊技を提供する遊技店では、景品カウンタにおいて、遊技客が遊技で獲得した獲得玉／獲得メダルと引き換えに所望の景品を提供する景品交換サービスを行っている。
【０００３】
遊技店によって提供される景品種別には、日常品、食料品や装飾品などの一般景品の他に、遊技店とは独立した景品買取業者（景品買取場）での買取りを前提とした特殊景品が存在し、かかる特殊景品の買取りを行う景品買取場には、特殊景品の買取りを自動的に行う景品買取機が設置されている。
【０００４】
この景品買取機は、買取り依頼を受け付けた特殊景品と引き換えに、特殊景品を買い取るための景品買取金が収納された現金収納部から当該特殊景品の価値分の貨幣を払出すものである（例えば、特許文献１参照。）。
【０００５】
このような景品買取機においては、景品買取場の営業を終了するにあたって、買取り取引の受付を終了する（買取拒否状態に移行する）とともに、現金収納部に収納された景品買取金の残額や景品収納部に収納された買取景品の個数が集計された買取集計データを出力する「閉店処理」を遊技店の閉店時間をもとに経験則で行っている。
【０００６】
【特許文献１】特開２００１−２４６１４３号公報
【発明の開示】
【発明が解決しようとする課題】
【０００７】
しかしながら、上記した従来技術を背景にして、このような人手による経験則で景品買取機の「閉店処理」を行っていたのでは、遊技店で払い出された特殊景品を全て買い取っていないにも拘わらず、景品買取機の「閉店処理」を行ってしまう状況が生じ、景品売渡人である遊技客に不利益を与えてしまうという問題点があった。
【０００８】
そこで、本発明は、上述した従来技術による課題（問題点）を解消するためになされたものであり、景品売渡人（遊技客）が不利益を被ることを防止することができる景品買取システムを提供することを目的とする。
【課題を解決するための手段】
【０００９】
上述した課題を解決し、目的を達成するために、請求項１の発明に係る景品買取システムは、買取り依頼を受け付けた特殊景品と引き換えに、該特殊景品に相当する価値分の貨幣を払出す特殊景品の買取り取引を行う景品買取機であって、払出景品として払い出された特殊景品の景品識別情報を記憶する払出景品情報記憶手段と、前記払出景品情報記憶手段によって記憶された払出景品の景品識別情報と、前記買取り取引が行われた特殊景品の景品識別情報とに基づいて、前記買取り取引を打切りとすべき取引打切り時機を判別する取引打切り時機判別手段と、前記取引打切り時機判別手段によって前記取引打切り時機が判別された場合に、所望の閉店処理の実行を許可する閉店処理実行許可手段とを備えたことを特徴とする。
【００１０】
また、請求項２の発明に係る景品買取システムは、上記の発明において、前記取引打切り時機判別手段は、最後の払出景品が払い出された後に、前記払出景品情報記憶手段によって記憶された全ての払出景品の景品識別情報について前記買取り取引が行われた時点を前記取引打切り時機と判別することを特徴とする。
【００１１】
また、請求項３の発明に係る景品買取システムは、上記の発明において、前記取引打切り時機判別手段は、最後の払出景品が払い出されてから所定時間経過した時点を前記取引打切り時機と判別することを特徴とする。
【００１２】
また、請求項４の発明に係る景品買取システムは、上記の発明において、前記取引打切り時機判別手段は、最後の払出景品が払い出された後に受け付けた買取り取引から所定時間経過した時点を前記取引打切り時機と判別することを特徴とする。
【００１３】
また、請求項５の発明に係る景品買取システムは、上記の発明において、前記取引打切り時機判別手段によって前記取引打切り時機が判別された場合に、前記払出景品情報記憶手段によって記憶された払出景品の中に前記買取り依頼を受け付けていない未回収の払出景品が存在するならば、該未回収の払出景品の景品識別情報を記憶する未回収景品情報記憶手段をさらに備えたことを特徴とする。
【００１４】
また、請求項６の発明に係る景品買取方法は、買取り依頼を受け付けた特殊景品と引き換えに、該特殊景品に相当する価値分の貨幣を払出す特殊景品の買取り取引を行う景品買取システムに用いられる景品買取方法であって、払出景品として払い出された特殊景品の景品識別情報を払出景品情報記憶手段に登録する払出景品情報登録工程と、前記払出景品情報記憶手段によって記憶された払出景品の景品識別情報と、前記買取り取引が行われた特殊景品の景品識別情報とに基づいて、前記買取り取引を打切りとすべき取引打切り時機を判別する取引打切り時機判別工程と、前記取引打切り時機判別工程によって前記取引打切り時機が判別された場合に、所望の閉店処理の実行を許可する閉店処理実行許可工程とを含んだことを特徴とする。
【発明の効果】
【００１５】
本発明によれば、払出景品として払い出された特殊景品の景品識別情報を記憶し、該記憶した払出景品の景品識別情報と、買取り取引が行われた特殊景品の景品識別情報とに基づいて、買取り取引を打切りとすべき取引打切り時機を判別し、取引打切り時機を判別した場合に、所望の閉店処理の実行を許可することとしたので、買取り依頼を受け付けるべき景品売渡人が存在しない蓋然性の高い時点で「閉店処理」を行うことができ、景品売渡人が不利益を被ることを防止することが可能な景品買取システムおよび景品買取方法が得られるという効果を奏する。
【００１６】
また、本発明によれば、最後の払出景品が払い出された後に、全ての払出景品の景品識別情報について買取り取引が行われた時点を取引打切り時機と判別することとしたので、買取り依頼を受け付けるべき景品売渡人（遊技客）が絶対に存在しない状況下で取引打切り時機と判別することができ、景品売渡人が不利益を被ることを完全に防止することが可能な景品買取システムが得られるという効果を奏する。更に、払い出された全ての特殊景品が買い取られているにも拘わらず、景品買取機が営業を継続するという無駄な状態を排除できる。
【００１７】
また、本発明によれば、最後の払出景品が払い出されてから所定時間経過した時点を取引打切り時機と判別することとしたので、本営業日中に買取り依頼を行わない景品売渡人を待つことなく「閉店処理」を行うことができ、景品買取業務を速やかに終了することが可能な景品買取システムが得られるという効果を奏する。
【００１８】
また、本発明によれば、最後の払出景品が払い出された後に受け付けた買取り取引から所定時間経過した時点を取引打切り時機と判別することとしたので、本営業日中に買取り依頼を行わない景品売渡人を待つことなく「閉店処理」を行うことができ、景品買取業務を速やかに終了することが可能な景品買取システムが得られるという効果を奏する。
【００１９】
また、本発明によれば、取引打切り時機を判別した場合に、払出景品の中に買取り依頼を受け付けていない未回収の払出景品が存在するならば、該未回収の払出景品の景品識別情報を記憶することとしたので、未回収の払出景品を景品買取業者に把握させるとともに、未回収の払出景品の買取り取引を本営業日以降の他の営業日で行う場合でも、当該買取り取引を円滑に行うことが可能な景品買取システムが得られるという効果を奏する。
【発明を実施するための最良の形態】
【００２０】
以下に添付図面を参照して、本発明に係る景品買取システム（景品買取方法）の好適な実施例を詳細に説明する。なお、以下では、本発明に係る景品買取システムを実施例１として説明した後に、本発明に含まれる他の実施例を実施例２として説明する。
【実施例１】
【００２１】
以下の実施例１では、実施例１に係る景品買取システムの概要および特徴、システムを構成する各装置（主に、景品買取機）の外観構成と内部構成および処理の流れを順に説明する。
【００２２】
［概要および特徴（実施例１）］
まず最初に、図１を用いて、実施例１に係る景品買取システムの概要および特徴を説明する。図１は、実施例１に係る景品買取システムの概要および特徴を説明するための概念図である。
【００２３】
同図に示すように、実施例１に係る景品買取システム１は、景品売渡人（遊技客）から買取り依頼を受け付けた特殊景品と引き換えに、該特殊景品に相当する価値分の貨幣を払出す特殊景品の買取り取引を行うものである。
【００２４】
ここで、このような景品買取システム１において、景品買取機１０は、払出景品として払い出された特殊景品の景品ＩＤを記憶し、該記憶した払出景品の景品ＩＤと、すでに買取り取引が行われた特殊景品の景品ＩＤとに基づいて、買取り取引を打切りとすべき「取引打切り時機」を判別し、この「取引打切り時機」を判別した場合に、所望の閉店処理を実行する点に主たる特徴があり、かかる一連の処理によって、景品売渡人（遊技客）が不利益を被ることを防止することができるようにしている。
【００２５】
これを具体的に説明すると、遊技店２の「景品カウンタ」に設置された景品管理装置２０では、景品買取場３で買取り取引の進捗状況を管理させるために、獲得玉／獲得メダルと引き換えに特殊景品を払出す「払出し取引」を行った際に、払出景品として払い出した特殊景品の景品ＩＤを景品買取機１０に通知している。
【００２６】
さらに、この景品管理装置２０は、景品買取機１０側で買取り取引を行うべき払出景品すべてを特定させ、買取り依頼を際限なく受け付けなくとも済むように、「景品カウンタ」で景品交換を要求する最後の遊技客に特殊景品を払出した場合には、その払出し取引が最後の払出し取引である旨（すなわち、景品カウンタでの払出し依頼の受付を終了した旨）を加えて景品買取機１０に通知する。
【００２７】
より詳細には、景品管理装置２０では、景品交換依頼として計数レシートを受け付け（１）、該受け付けた計数レシートから読み取った獲得玉数／獲得メダル数の範囲内で交換を所望する景品の選択を受け付け、特殊景品が選択された場合には、選択受付分の特殊景品の払出し指示を景品払出機３０に行う（２）。
【００２８】
この払出し指示を受け付けた景品払出機３０では、選択受付分の特殊景品を投出する（３）。例えば、図１に示す例で言えば、特殊景品「大」（景品ＩＤ「１００９７」〜「１００９９」）を３つ並びに特殊景品「小」（景品ＩＤ「２００８８」〜「２００８９」）を２つ払出している。なお、この時、払出景品として払出された特殊景品の景品ＩＤは、景品管理装置２０に通知される。また、実施例１では、特殊景品「大」には上一桁が「１」である景品ＩＤが採番され、特殊景品「小」には上一桁が「２」である景品ＩＤが採番されることとする。
【００２９】
その後、景品管理装置２０は、景品払出機３０によって払出された払出景品の景品ＩＤ（図１の例で言えば、景品ＩＤ「１００９７」〜「１００９９」並びに景品ＩＤ「２００８８」〜「２００８９」）を景品買取場３に設置された景品買取機１０に通知する（４）。なお、計数機で発行された計数レシートの枚数と景品交換依頼を受け付けた計数レシートの枚数が同数になったことを検知した場合や従業員による目視によって最後の遊技客であることが確認された場合には、払出景品の景品ＩＤとともに最後の払出し取引である旨を通知する。
【００３０】
一方、払出景品の景品ＩＤの通知を受け付けた景品買取機１０では、払出景品の景品ＩＤ（図１の例で言えば、景品ＩＤ「１００９７」〜「１００９９」並びに景品ＩＤ「２００８８」〜「２００８９」）を払出景品ＤＢ１８に登録する（５）。この払出景品ＤＢ１８では、払出景品の景品ＩＤごとに、当該払出景品が買取り済みであるか否かを示す買取済フラグ（この時点では、未買取である。）を対応付けて記憶している。
【００３１】
このように、実施例１に係る景品管理装置１０では、払出景品として払い出された特殊景品の景品ＩＤを記憶管理することで、遊技店２の景品カウンタで払い出された払出景品をどの程度買取ったかという買取り取引の進捗状況を管理することができるようにしている。
【００３２】
その後、景品買取機１０は、景品売渡人である遊技客から特殊景品の買取り依頼（６）を受け付けた場合に、該特殊景品と引き換えに相当価値分の貨幣を払出す「買取り取引」を行い（７）、当該特殊景品の景品ＩＤ（図１の例で言えば、景品ＩＤ「１００９７」〜「１００９９」並びに景品ＩＤ「２００８８」〜「２００８９」）に対応する払出景品ＤＢ１８の買取済フラグを更新する（８）。
【００３３】
また、景品買取機１０は、払出景品ＤＢ１８によって記憶された払出景品の景品ＩＤと、買取り取引が行われた特殊景品の景品ＩＤとに基づいて、買取り取引を打切りとすべき「取引打切り時機」を判別する（９）。例えば、図１に示すように、景品管理装置２０から最後の払出し取引が終了した旨の通知を受け付けた後に、払出景品ＤＢ１８によって記憶された全ての払出景品の景品ＩＤに対応する買取済フラグが「買取済」であることを検知した場合に、その時点を取引打切り時機と判別する。
【００３４】
このように、実施例１に係る景品買取機１０では、払出景品として払出された特殊景品の景品ＩＤと、買取り取引が行われた特殊景品の景品ＩＤとに基づいて、買取り取引を打切りとすべき「取引打切り時機」を判別することで、買取り依頼を受け付けるべき景品売渡人が存在しない蓋然性の高い時点を「取引打切り時機」と判別することができるようにしている。
【００３５】
そして、景品買取機１０は、買取り取引を打切りとすべき「取引打切り時機」を判別した場合に、所望の閉店処理を実行する（１０）。例えば、買取り依頼の受付を終了する（買取拒否状態に移行する）とともに、景品買取場３の従業員からの操作入力を受け付けた場合には、景品買取金の残額や買取景品の個数が集計された買取集計データを「締め上げ票」として印字する。
【００３６】
したがって、上記した従来技術の例で言えば、遊技店２の閉店時間をもとに経験則で景品買取機の「閉店処理」を行うことで、遊技店２で払い出された特殊景品を全て買い取っていないにも拘わらず、景品買取機の「閉店処理」を行ってしまう状況を生じさせるのではなく、払出景品として払出された特殊景品の景品ＩＤと、買取り取引が行われた特殊景品の景品ＩＤとに基づいて、買取り取引を打切りとすべき「取引打切り時機」を判別し、「取引打切り時機」を判別した場合に、所望の閉店処理を実行するので、買取り依頼を受け付けるべき景品売渡人が存在しない蓋然性の高い時点で「閉店処理」を行うことができ、上記した主たる特徴のように、景品売渡人が不利益を被ることを防止することが可能である。
【００３７】
さらに、これに関連して、買取り依頼を受け付けるべき景品売渡人が存在しない蓋然性の高い時点を早期に判別することができるので、上記した「閉店処理」を迅速に行うことが可能である。加えて、窃盗などの犯罪の危険にさらされ易い景品買取業務を迅速に終えるので、景品買取場の安全性を向上させることも可能である。
【００３８】
［景品買取機の構成］
次に、図２を用いて、実施例１に係る景品買取機１０の外観構成について説明する。図２は、実施例１に係る景品買取機１０の外観構成を示す正面図である。同図に示すように、この景品買取機１０の前面左部５Ｌおよび前面右部５Ｒの上寄りには、特殊景品が受け入れられる景品受入口を遮蔽するためのシャッタ１４ａが設けられており、このシャッタ１４ａは、後述する外部タッチパネル１２ａを介して買取り依頼の入力操作を受け付けた時のみ開放制御される。
【００３９】
さらに、前面左部５Ｌおよび前面右部５Ｒの下寄りには、買取り取引の中止要求受付時や買取り依頼棄却時に、景品受入口を通じて買取り依頼を受け付けた特殊景品を返却するための景品返却口１４ｅが設けられている。
【００４０】
一方、前面中央部５Ｃには、買取り依頼を受け付けた特殊景品を買取る場合に、該特殊景品に相当する価値分の貨幣を払出すための紙幣出金口１５−１並びに硬貨出金口１５−２が設けられている。
【００４１】
また、景品買取機１０の中段部には、台座部６が設けられており、この台座部６には、払出景品の買取り依頼を行う景品売渡人（遊技客）に通知画面を表示したり、また、景品売渡人から操作入力を受け付けるための外部タッチパネル１２ａが設けられている。
【００４２】
続いて、図３を用いて、図２に示した景品買取機１０の内部構成について説明する。図３は、実施例１に係る景品買取機１０の内部構成を示すブロック図である。同図に示すように、この景品買取機１０は、景品買取機１０の各内部回路に対して電力を供給する電源部１１と、外部タッチパネル１２ａと、内部タッチパネル１２ｂと、レシート処理部１３と、景品搬送制御部１４ｂと、景品読取部１４ｃと、景品収納部１４ｄと、紙幣処理部１５ａと、硬貨処理部１５ｂと、通信制御ＩＦ部１６と、買取集計ＤＢ１７と、払出景品ＤＢ１８と、制御部１９とを備える。
【００４３】
このうち、外部タッチパネル１２ａは、液晶パネルやディスプレイなどの表示デバイスで構成された遊技客用の表示入力手段であり、図２に示す景品買取機１０の台座部６に設けられている。例えば、買取り依頼を受け付けた特殊景品の景品種別ごとの個数やその買取り金額などを表示したり、画面表示した取引開始ボタンの押下操作により払出景品の買取り依頼を受け付けたりする。
【００４４】
内部タッチパネル１２ｂは、液晶パネルやディスプレイなどの表示デバイスで構成された景品買取業者用の表示入力手段であり、図２に示す景品買取機１０の裏側引き戸の内側に設けられている。例えば、買取り集計ＤＢ１７に記憶された買取集計データを表示したり、画面表示した締め上げボタンの押下操作により買取集計データの印字要求を受け付けたりする。
【００４５】
レシート処理部１３は、各種情報を所定の媒体に印字出力する処理部である。例えば、内部タッチパネル１２ｂを通じて買取集計データの印字要求を受け付けた場合に、買取り集計ＤＢ１７に記憶された買取集計データをレシート用紙に印字して「締め上げ票」を作成する。
【００４６】
景品搬送制御部１４ｂは、景品受入口に投入された特殊景品の搬送制御を行う処理部である。具体的には、景品受入口に投入された特殊景品（買取り依頼を受け付けた特殊景品）が買取られた場合には、該特殊景品を景品収納部１４ｂに搬送し、また、買取り取引の中止要求を受け付けた場合または買取り依頼の棄却を決定した場合には、景品受入口に投入された特殊景品を景品返却口１４ｅに搬送する。
【００４７】
景品読取部１４ｃは、特殊景品に記録された情報を読み取る処理部である。具体的には、景品受入口に特殊景品が投入されたならば、該投入された特殊景品から景品ＩＤを読み取り、その景品ＩＤの上一桁を参照して特殊景品を計数することで特殊景品数を景品種別ごとに計測する。
【００４８】
景品収納部１４ｄは、特殊景品を収納する処理部である。具体的には、買取り依頼を受け付けた特殊景品が買取られた場合に、その特殊景品を景品種別（この例では、「大」、「小」）ごとに収納する。なお、景品収納部１４ｄに収納された特殊景品は、後述する閉店処理部１９ｃによる「閉店処理」の一環として、景品搬送制御部１４ｂにより図示しない運搬用景品収納部（景品カセット）に搬送される。
【００４９】
紙幣処理部１５ａは、紙幣の収納及び出金等を司る処理部である。具体的には、景品買取り処理部１９ａによる紙幣払出指示に応答して、景品買取金として予め収納された紙幣を紙幣出金口１５−１から出金する。なお、紙幣処理部１５ａに収納された収納紙幣は、後述する閉店処理部１９ｃによる「閉店処理」の一環として、図示しない運搬用紙幣収納部（紙幣カセット）に搬送される。
【００５０】
硬貨処理部１５ｂは、硬貨の収納及び出金等を司る処理部である。具体的には、景品買取り処理部１９ａによる硬貨払出指示に応答して、景品買取金として予め収納された硬貨を硬貨出金口１５−２から出金する。なお、硬貨処理部１５ｂに収納された収納硬貨は、後述する閉店処理部１９ｃによる「閉店処理」の一環として、図示しない運搬用硬貨収納部（硬貨カセット）に搬送される。
【００５１】
通信制御ＩＦ部１６は、各種装置（例えば、景品買取場３に配設された他の景品買取機や遊技店２に設置された景品管理装置２０）との間で各種通信の制御を行う処理部である。
【００５２】
買取り集計ＤＢ１７は、特殊景品の買取り取引に係る集計データを記憶する記憶（格納）手段である。例えば、景品収納部１４ｂに収納された買取景品の景品種別ごとの在高、紙幣処理部１５ａに収納された紙幣の金種別の在高や硬貨処理部１５ｂに収納された金種別の在高を記憶している。
【００５３】
払出景品ＤＢ１８は、景品払出機３０によって払出された払出景品の払出景品情報を記憶する記憶（格納）手段である。具体的には、特殊景品それぞれに一意に採番された「景品ＩＤ」に、当該特殊景品が買取り済みであるか否かを示す「買取済フラグ」を対応付けて記憶している。
【００５４】
例えば、図４−１に示すように、取引ＩＤ「０００１」及び取引時刻「１２：０５」である景品ＩＤ「１０００１」に買取済フラグ「○」を、・・・、景品ＩＤ「２０００２」に買取済フラグ「○」を対応付け、・・・、取引ＩＤ「００７７」及び取引時刻「２３：０５」である景品ＩＤ「１００９７」に買取済フラグ「−」を、・・・、景品ＩＤ「２００８９」に買取済フラグ「−」を対応付けて記憶している。なお、かかる「払出景品情報」とは、上記の払出景品の「景品ＩＤ」の他、払出し取引それぞれに一意に採番された「取引ＩＤ」、その払出し取引が行われた「取引時刻」などを含む情報を指す。
【００５５】
制御部１９は、景品買取機１０の全体制御を司る制御部であり、特に本発明に密接に関連するものとしては、景品買取り処理部１９ａと、取引打切り時機判別部１９ｂと、閉店処理部１９ｃとを備える。
【００５６】
このうち、景品買取り処理部１９ａは、買取り依頼を受け付けた特殊景品と引き換えに、該特殊景品に相当する価値分の貨幣を払出す「景品交換処理」を行う処理部である。具体的には、景品売渡人から払出景品の買取り依頼を受け付け、さらに、景品受入口に特殊景品が投入された場合に、景品計数・読取指示を景品読取部１４ｃに行う。
【００５７】
より具体的に説明すると、外部タッチパネル１２ａに画面表示された取引開始ボタンの押下操作を受け付け、さらに、図１に示す特殊景品が景品受入口に投入されたならば、該投入された特殊景品から景品ＩＤを景品読取部１４ｃに読み取らせるとともに、その景品ＩＤの上一桁（図１の例で言えば、上一桁が「１」であれば特殊景品「大」であり、上一桁が「２」であれば特殊景品「小」である。）を参照して特殊景品を計数させることで特殊景品数を景品種別ごとに計測させる。このようにして、特殊景品の景品ＩＤが「１００９７」〜「１００９９」並びに景品ＩＤ「２００８８」〜「２００８９」であり、これら買取り依頼を受け付けた特殊景品が３つの特殊景品「大」と２つの特殊景品「小」で構成されることを識別する。
【００５８】
そして、景品買取り処理部１９ａは、買取り依頼を受け付けた特殊景品の中に不正な特殊景品が含まれるか否かを判定する。例えば、正当な特殊景品には予め埋め込まれている偽造防止用認識情報が当該特殊景品から検出されるか否かを判定する。
【００５９】
さらに、景品買取り処理部１９ａは、買取り依頼を受け付けた特殊景品と、払出し取引で払出された払出景品との間で整合性が担保されているか否かを判定する。具体的には、買取り依頼を受け付けた特殊景品の景品ＩＤそれぞれが払出景品ＤＢ１８に登録されているか否かを確認する。この図１の例で言えば、特殊景品の景品ＩＤ「１００９７」〜「１００９９」並びに景品ＩＤ「２００８８」〜「２００８９」が払出景品として払出景品ＤＢ１８に登録されているので、払出し取引との整合性が担保されていることが確認される。
【００６０】
続いて、景品買取り処理部１９ａは、買取り依頼を受け付けた特殊景品の中に不正な特殊景品が含まれず、かつ払出し取引との整合性が担保されている場合に、買取り依頼を受け付けた景品種別ごとの特殊景品数並びにそれに相当する買取り金額を外部タッチパネル１２ａに確認表示する。例えば、図１の例で言えば、買取り対象となる特殊景品の景品種別の内訳が３つの特殊景品「大」と２つの特殊景品「小」であり、買取り金額が「９５００円」となる旨を外部タッチパネル１２ａに確認表示する。
【００６１】
ここで、景品買取り処理部１９ａは、外部タッチパネル１２ａを通じて買取り取引の実行要求を受け付けた場合に、買取りを行う特殊景品の価値に応じて払出すべき貨幣の内訳を決定し、該内訳に応じた出金指示を紙幣処理部１５ａおよび／または硬貨処理部１５ｂに行った後に、買取り集計ＤＢ１７に記憶された紙幣処理部１５ａ内の在高及び硬貨処理部１５ｂ内の在高を更新する。
【００６２】
例えば、図１の例で言えば、外部タッチパネル１２ａに画面表示された取引実行ボタンの押下操作を受け付けた場合に、特殊景品の買取り金額「９５００円」を千円紙幣「９枚」と五百円硬貨「１枚」で払出すことを決定する。そして、千円紙幣「９枚」を出金するように紙幣処理部１５ａに指示するとともに、五百円硬貨「１枚」を出金するように硬貨処理部１５ｂに指示する。その後、買取り集計ＤＢ１７に記憶された千円紙幣の現在高から「９０００円」を減算し、さらに、五百円硬貨の現在高から「５００円」を減算する。
【００６３】
続いて、景品買取り処理部１９ａは、買取りを行った特殊景品を景品収納部１４ｄ内に格納するように景品搬送制御部１４ｂに指示し、買取り集計ＤＢ１７に記憶された景品収納部１４ｄ内の特殊景品の在高を更新する。このようにして、特殊景品「大」３つと特殊景品「小」２つが景品種別ごとに景品収納部１４ｄ内に格納され、買取り集計ＤＢ１７に記憶された特殊景品「大」の在高に「３」が加算され、特殊景品「小」の在高に「２」が加算される。
【００６４】
そして、景品買取り処理部１９ａは、払出景品ＤＢ１８において、買取りを行った特殊景品の景品ＩＤに対応する買取済フラグを更新する。例えば、図１の例で言えば、景品ＩＤ「１００９７」〜「１００９９」並びに景品ＩＤ「２００８８」〜「２００８９」に対応する買取済フラグを立てることで、払出景品ＤＢ１８が図４−１に示す状態から図４−２に示す状態に遷移する。
【００６５】
なお、この景品買取り処理部１９ａによる「景品買取り処理」は、後述する取引打切り時機判別部１９ｂによって「取引打切り時機」が判別されるまで再帰的に行われる。
【００６６】
取引打切り時機判別部１９ｂは、払出景品ＤＢ１８によって記憶された払出景品の景品ＩＤと、買取り取引が行われた特殊景品の景品ＩＤとに基づいて、買取り取引を打切りとすべき「取引打切り時機」を判別する処理部である。
【００６７】
かかる「取引打切り時機」の判別動作について具体的に説明する前に、「取引打切り時機」の判別に不可欠な払出景品情報の由来について説明すると、取引打切り時機判別部１９ｂは、遊技店２で払出し取引が行われる度に景品買取機２０から払出景品情報の通知を受け付け、該受け付けた払出景品情報を払出景品ＤＢ１８に登録している。
【００６８】
より具体的には、遊技店２の景品管理装置２０から払出景品の景品ＩＤを含む払出景品情報を受信したならば、この払出景品情報を払出景品ＤＢ１８に登録し、かかる払出景品情報に加えて最後の払出し取引が終了した旨（すなわち、景品カウンタでの払出し依頼の受付を終了した旨）の通知を受け付けた時には、「閉店タイマ」（詳細は後述する）を“２０ｍｉｎ”にセットする。なお、実施例１では、遊技店２の景品管理装置２０に払出景品情報を払出し取引ごとに通知させる例を挙げているが、本発明はこれに限定されるものではなく、複数の払出し取引ごとに通知させるようにしてもよいし、払出し取引ごとではなく払出景品ごとに通知させるようにしてもよい。
【００６９】
このように、払出し取引が行われる度に払出景品の景品ＩＤを取得して払出景品ＤＢ１８に登録する一方で、買取りが行われた買取景品の景品ＩＤに対応する買取済フラグを買取り取引が行われる度に更新することで、遊技店２の景品カウンタで払い出された払出景品をどの程度買取ったかという買取り取引の進捗状況を管理することができるようにしている。
【００７０】
ここで、「取引打切り時機」の判別動作について具体的に説明すると、取引打切り時機判別部１９ｂは、「閉店タイマ」がセットされた場合（すなわち、景品カウンタで払出し依頼の受付を終了した場合）に、「取引打切り時機」の判別動作を監視する。
【００７１】
より詳細には、取引打切り時機判別部１９ｂは、「閉店タイマ」が“０”であるか否かを判定する。このとき、「閉店タイマ」が“０”である場合には、取引打切り時機判別部１９ｂは、払出景品ＤＢ１８において買取済フラグが立てられていない「未買取」の景品ＩＤに係る払出景品情報のみ（図４−３に示す情報のうち取引ＩＤ「００７０」の情報のみ）を抽出して「未回収景品リスト」を作成した後に、「閉店処理」の実行指示を閉店処理部１９ｃに行う。
【００７２】
一方、「閉店タイマ」が“０”でない場合には、取引打切り時機判別部１９ｂは、景品買取り処理部１９ａによって新たに買取り取引が行われたか否かをさらに判定する。
【００７３】
ここで、景品買取り処理部１９ａによって新たに買取り取引が行われたと判定した場合に、取引打切り時機判別部１９ｂは、払出景品ＤＢ１８によって記憶された全ての払出景品の景品ＩＤに対応する買取済フラグが「買取済」であるか否かを判定する。なお、この時、新たな買取り取引が行われていない場合には、「閉店タイマ」の監視を行う。
【００７４】
そして、全ての払出景品の景品ＩＤに対応する買取済フラグが「買取済」である場合（例えば、図４−２に示す買取り状況である場合）には、取引打切り時機判別部１９ｂは、「閉店処理」の実行指示を閉店処理部１９ｃに行い、一方、全ての払出景品の景品ＩＤに対応する買取済フラグが「買取済」でない場合には、再度、「閉店タイマ」の監視、新たな買取り取引の検知、買取済フラグの照査を行う。
【００７５】
このように、全ての払出景品について買取り取引が行われた時点を以って「取引打切り時機」と判別することで、買取り依頼を受け付けるべき景品売渡人（遊技客）が絶対に存在しない状況下で「取引打切り時機」と判別し、景品売渡人が不利益を被ることを完全に防止することができるようにしている。
【００７６】
また、これとは並行して、最後の払出景品が払い出されてから所定時間経過した時点、すなわち本営業日中に買取り依頼を行う景品売渡人が存在しない蓋然性の高い時点を「取引打切り時機」と判別することで、本営業日中に買取り依頼を行わない景品売渡人を待つことなく「閉店処理」を行うことができ、景品買取業務を速やかに終了することが可能である。
【００７７】
さらに、「取引打切り時機」を判別した後に、払出景品の中に買取り依頼を受け付けていない未回収の払出景品の景品ＩＤを記憶することで、未回収の払出景品を景品買取業者に把握させるとともに、未回収の払出景品の買取り取引を本営業日以降の他の営業日で行う場合でも、当該買取り取引を円滑に行うことができるようにしている。
【００７８】
閉店処理部１９ｃは、景品買取業者によって定められた「閉店処理」を実行する処理部である。例えば、買取り依頼の受付を終了する（景品買取り処理部１９ａに機能停止を指示する）とともに、景品買取場３の従業員から内部タッチパネル１２ｂを通じて「締め上げ票」の印字要求の操作入力を受け付けた場合には、買取り集計ＤＢ１７に記憶された景品買取金の在高や買取景品の在高などの買取集計データを「締め上げ票」として印字するようにレシート処理部１３に指示する。
【００７９】
また、閉店処理部１９ｃは、「景品カセット」、「紙幣カセット」または「硬貨カセット」などが当該景品買取機１０に装着された場合には、景品収納部１４ｄ、紙幣処理部１５ａおよび硬貨処理部１５ｂの内部に収納された「特殊景品」、「紙幣」および「硬貨」を繰り出してそれぞれのカセットに詰め込む。
【００８０】
［処理の流れ］
次に、本実施例１に係る景品買取機１０の各種処理の流れを説明する。なお、ここでは、景品買取機１０の基本機能として景品買取り処理部１９ａによって行われる（１）景品買取り処理を説明してから、払出景品ＤＢ１８に払出景品情報を登録する（２）払出景品情報登録処理を説明し、最後に、この払出景品情報を用いて取引打切り時機を判別する（３）取引打切り時機判別処理を説明する。
【００８１】
（１）景品買取り処理
前述したように、ここでは、図５を用いて、本実施例１に係る景品買取り処理を説明する。図５は、実施例１に係る景品買取り処理の手順を示すフローチャートである。同図に示すように、この「景品買取り処理」は、景品売渡人から特殊景品の買取り依頼を受け付けた場合に開始される。
【００８２】
外部タッチパネル１２ａに画面表示された取引開始ボタンの押下操作を受け付け（ステップＳ５０１肯定）、さらに、特殊景品が景品受入口に投入されたならば（ステップＳ５０２肯定）、景品買取り処理部１９ａは、投入された特殊景品から景品ＩＤを景品読取部１４ｃに読み取らせるとともに、その景品ＩＤの上一桁を参照して特殊景品を計数させることで特殊景品数を景品種別ごとに計測させる（ステップＳ５０３）。
【００８３】
続いて、景品買取り処理部１９ａは、買取り依頼を受け付けた全ての特殊景品から、正当な特殊景品に予め埋め込まれた偽造防止用認識情報が検出されるか否かを判定する（ステップＳ５０４）。
【００８４】
そして、すべての特殊景品から偽造防止用認識情報が検出可能である場合、すなわち買取り依頼を受け付けた特殊景品の中に不正な特殊景品が含まれない場合（ステップＳ５０４肯定）には、景品買取り処理部１９ａは、買取り依頼を受け付けた特殊景品の景品ＩＤそれぞれが払出景品ＤＢ１８に登録されているか否かを確認する（ステップＳ５０５）。
【００８５】
ここで、買取り依頼を受け付けた特殊景品の中に不正な特殊景品が含まれている場合（ステップＳ５０４否定）、或いは払出景品ＤＢ１８に登録されていない景品ＩＤを有する特殊景品が買取り依頼を受け付けた特殊景品に含まれる場合（すなわち、払出し取引との整合性が担保されていない場合）には（ステップＳ５０５否定）、景品買取り処理部１９ａは、景品受入口に投入された特殊景品を景品返却口１４ｅに搬送するように景品搬送制御部１４ｂに指示する（ステップＳ５０６）。
【００８６】
また、買取り依頼を受け付けた特殊景品の中に不正な特殊景品が含まれず、かつ払出し取引との整合性が担保されている場合（ステップＳ５０４肯定かつステップＳ５０５肯定）には、景品買取り処理部１９ａは、買取り依頼を受け付けた景品種別ごとの特殊景品数並びにそれに相当する買取り金額を外部タッチパネル１２ａに確認表示する（ステップＳ５０７）。
【００８７】
その後、外部タッチパネル１２ａを通じて買取り取引の実行要求を受け付けた場合（ステップＳ５０８肯定）に、景品買取り処理部１９ａは、買取りを行う特殊景品の価値に応じて払出すべき貨幣の内訳を決定し、該内訳に応じた出金指示を紙幣処理部１５ａおよび／または硬貨処理部１５ｂに行った後（ステップＳ５０９）に、買取り集計ＤＢ１７に記憶された紙幣処理部１５ａ内の在高及び硬貨処理部１５ｂ内の在高を更新する（ステップＳ５１０）。
【００８８】
続いて、景品買取り処理部１９ａは、買取りを行った特殊景品を景品収納部１４ｄ内に格納するように景品搬送制御部１４ｂに指示し（ステップＳ５１１）、買取り集計ＤＢ１７に記憶された景品収納部１４ｄ内の特殊景品の在高を更新する（ステップＳ５１２）。
【００８９】
最後に、景品買取り処理部１９ａは、払出景品ＤＢ１８において、買取りを行った特殊景品の景品ＩＤに対応する買取済フラグを更新し（ステップＳ５１３）、処理を終了する。なお、上記のステップＳ５０１〜Ｓ５１３の処理は、取引打切り時機判別部１９ｂによって「取引打切り時機」が判別されるまで再帰的に行われる。
【００９０】
（２）払出景品情報登録処理
次に、図６を用いて、本実施例１に係る払出景品情報登録処理を説明する。図６は、実施例１に係る払出景品情報登録処理を説明する。同図に示すように、この「払出景品情報登録処理」は、遊技店２の景品管理装置２０から払出景品の景品ＩＤを含む払出景品情報を受信した場合に開始される。
【００９１】
遊技店２の景品管理装置２０から払出景品の景品ＩＤを含む払出景品情報を受信した場合（ステップＳ６０１肯定）に、取引打切り時機判別部１９ｂは、受信した払出景品情報を払出景品ＤＢ１８に登録する（ステップＳ６０２）。
【００９２】
ここで、かかる払出景品情報に加えて最後の払出し取引が終了した旨（すなわち、景品カウンタでの払出し依頼の受付を終了した旨）の通知をさらに受け付けた場合（ステップＳ６０３肯定）には、取引打切り時機判別部１９ｂは、「閉店タイマ」を“２０ｍｉｎ”にセットし（ステップＳ６０４）、処理を終了する。
【００９３】
なお、最後の払出し取引が終了した旨の通知を受け付けるまでは、取引打切り時機判別部１９ｂは、上記のステップＳ６０１〜Ｓ６０２の処理を再帰的に行う。
【００９４】
（３）取引打切り時機判別処理
次に、図７を用いて、本実施例１に係る取引打切り時機判別処理を説明する。図７は、実施例１に係る取引打切り時機判別処理の手順を示すフローチャートである。この「取引打切り時機判別処理」は、上記した「払出景品情報登録処理」で「閉店タイマ」がセットされた場合（すなわち、景品カウンタで払出し依頼の受付を終了した場合）に開始される。
【００９５】
同図に示すように、取引打切り時機判別部１９ｂは、「閉店タイマ」が“０”であるか否かを判定する（ステップＳ７０１）。このとき、「閉店タイマ」が“０”である場合（ステップＳ７０１肯定）には、取引打切り時機判別部１９ｂは、払出景品ＤＢ１８において買取済フラグが立てられていない「未買取」の景品ＩＤに係る払出景品情報のみを抽出して「未回収景品リスト」を作成した後（ステップＳ７０２）に、「閉店処理」の実行指示を閉店処理部１９ｃに行い、この指示を受け付けた閉店処理部１９ｃは、景品買取業者によって定められた「閉店処理」を実行し（ステップＳ７０３）、処理を終了する。
【００９６】
一方、「閉店タイマ」が“０”でない場合（ステップＳ７０１否定）には、取引打切り時機判別部１９ｂは、景品買取り処理部１９ａによって新たに買取り取引が行われたか否かをさらに判定する（ステップＳ７０４）。
【００９７】
ここで、景品買取り処理部１９ａによって新たに買取り取引が行われたと判定した場合（ステップＳ７０４肯定）に、取引打切り時機判別部１９ｂは、払出景品ＤＢ１８によって記憶された全ての払出景品の景品ＩＤに対応する買取済フラグが「買取済」であるか否かを判定する（ステップＳ７０５）。なお、新たな買取り取引が行われていない場合（ステップＳ７０４否定）には、上記のステップＳ７０１に戻り、「閉店タイマ」の監視を行う。
【００９８】
そして、全ての払出景品の景品ＩＤに対応する買取済フラグが「買取済」である場合（ステップＳ７０５肯定）には、取引打切り時機判別部１９ｂは、「閉店処理」の実行指示を閉店処理部１９ｃに行い、この指示を受け付けた閉店処理部１９ｃは、景品買取業者によって定められた「閉店処理」を実行し（ステップＳ７０３）、処理を終了する。
【００９９】
一方、全ての払出景品の景品ＩＤに対応する買取済フラグが「買取済」でない場合（ステップＳ７０５否定）には、取引打切り時機判別部１９ｂは、上記のステップＳ７０１〜Ｓ７０３の処理、すなわち「閉店タイマ」の監視、新たな買取り取引の検知、買取済フラグの照査を行う。
【０１００】
上述してきたように、実施例１に係る景品買取機１０によれば、払出景品として払出された特殊景品の景品ＩＤと、買取り取引が行われた特殊景品の景品ＩＤとに基づいて、買取り取引を打切りとすべき「取引打切り時機」を判別し、「取引打切り時機」を判別した場合に、所望の閉店処理を実行するように構成したので、買取り依頼を受け付けるべき景品売渡人が存在しない蓋然性の高い時点で「閉店処理」を行うことができ、景品売渡人が不利益を被ることを防止することが可能である。
【実施例２】
【０１０１】
さて、これまで本発明の実施例について説明したが、本発明は上述した実施例以外にも、種々の異なる形態にて実施されてよいものである。そこで、以下では、本発明に含まれる他の実施例を説明する。
【０１０２】
例えば、上記の実施例１では、最後の払出景品が払い出されてから所定時間経過した時点を「取引打切り時機」と判別する例について説明したが、本発明はこれに限定されるものではなく、最後の払出景品が払い出された後に受け付けた買取り取引から所定時間経過した時点を「取引打切り時機」と判別するようにしてもよい。このような判別基準を用いた場合でも、実施例１と同様、本営業日中に買取り依頼を行わない景品売渡人を待つことなく「閉店処理」を行うことができ、景品買取業務を速やかに終了することが可能である。
【０１０３】
また、本発明では、景品払出機３０で払出景品を払出す際に、最終の払出し取引の間際である蓋然性が高い所定数の取引群の払出景品（例えば、遊技店２内に最後に残った遊技客５人の払出景品）に「払出し取引の最終組」であることを特殊景品にマーキングするようにしてもよい。
【０１０４】
例えば、このようなマーキングが為された払出景品すべての買取り取引を終了した場合に「取引打切り時機」と判別することとすれば、たとえ買取り依頼を受け付けていない払出景品があったとしても、その払出景品を所持する景品売渡人が本営業日中に買取り依頼を行う蓋然性は極めて低く、取引打切り時機判別部１９ｂが判別する「取引打切り時機」の妥当性を高めることができる。
【０１０５】
また、上記の実施例１では、景品買取機１０が１台である場合の実施例について説明したが、本発明はこれに限定されるものではなく、任意の台数の景品買取機１０を有する景品買取システムにも本発明を同様に適用することができる。
【０１０６】
なお、上記の実施例１では、本発明に係る機能部（払出景品ＤＢ１８、取引打切り時機判別部１９ｂ）を景品買取機１０内に設ける実施例について説明したが、本発明はこれに限定されるものではなく、景品買取場内に設置された複数の景品買取機を統括管理する上位装置にこれらの機能部を設けるように構成してもよい。ただし、この場合、景品買取機１０側では「取引打切り時機」を主体的に判断することができないので、「閉店処理」の実行許可を上位装置で行う必要がある。
【０１０７】
また、上記の実施例１では、景品管理装置２０と景品買取機１０の間を有線で接続した実施例について説明したが、本発明はこれに限定されるものではなく、他のセンタなどを経由して接続した構成を採用してもよいし、これらの機器の間で無線通信網を構築してもよい。
【０１０８】
なお、本発明では、景品管理装置２０からの払出景品情報の通知が一定時間以上ない場合には、払出景品自体を払出さないことに起因して買取り依頼を行う景品売渡人が極めて少なくなるので、省電力モードに切り換えるように景品買取機１０を構成してもよい。
【０１０９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１１０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１１１】
以上のように、本発明に係る景品買取システムおよび景品買取方法は、景品買取システムおよび景品買取方法に適している。
【図面の簡単な説明】
【０１１２】
【図１】実施例１に係る景品買取システム１の概要および特徴を説明するための概念図である。
【図２】実施例１に係る景品買取機１０の外観構成を示す正面図である。
【図３】実施例１に係る景品買取機１０の内部構成を示すブロック図である。
【図４−１】払出景品ＤＢ１８に記憶される情報の構成例を示す図である。
【図４−２】払出景品ＤＢ１８に記憶される情報の構成例を示す図である。
【図４−３】払出景品ＤＢ１８に記憶される情報の構成例を示す図である。
【図５】実施例１に係る景品買取り処理の手順を示すフローチャートである。
【図６】実施例１に係る払出景品情報登録処理の手順を示すフローチャートである。
【図７】実施例１に係る取引打切り時機判別処理の手順を示すフローチャートである。
【符号の説明】
【０１１３】
１    景品買取システム
２    遊技店
３    景品買取場
１０    景品買取機
１１    電源部
１２ａ  外部タッチパネル
１２ｂ  内部タッチパネル
１３    レシート処理部
１４ｂ  景品搬送制御部
１４ｃ  景品読取部
１４ｄ  景品収納部
１５ａ  紙幣処理部
１５ｂ  硬貨処理部
１６    通信制御ＩＦ部
１７    買取り集計ＤＢ
１８    払出景品ＤＢ
１９    制御部
１９ａ  景品買取り処理部
１９ｂ  取引打切り時機判別部
１９ｃ  閉店処理部
２０    景品管理装置
３０    景品払出機
【図１】
2007209620.tif 000003
【図２】
2007209620.tif 000004
【図３】
2007209620.tif 000005
【図４−１】
2007209620.tif 000006
【図４−２】
2007209620.tif 000007
【図４−３】
2007209620.tif 000008
【図５】
2007209620.tif 000009
【図６】
2007209620.tif 000010
【図７】
2007209620.tif 000011